【手続補正書】
【提出日】平成18年7月21日(2006.7.21)
【手続補正１】
【補正対象書類名】明細書
【補正対象項目名】発明の名称
【補正方法】変更
【補正の内容】
【発明の名称】画像記録装置、画像記録システムおよび画像記録ソフト
【手続補正２】
【補正対象書類名】明細書
【補正対象項目名】特許請求の範囲
【補正方法】変更
【補正の内容】
【特許請求の範囲】
【請求項１】  イエロー（Ｙ），マゼンタ（Ｍ），シアン（Ｃ）および黒（Ｋ）の各色毎の版に色分解された状態の画像データを受信し、前記画像データに基づいて光源駆動データを生成し、前記光源駆動データによって複数の各光源を駆動せしめて複数の発色層からなる感光材料を波長の異なる光で露光して、前記感光材料にカラー画像を記録する画像記録装置であって、
前記感光材料を露光するための複数の光源を備えた露光部と、
前記画像データに基づいた前記光源駆動データにより前記光源を駆動せしめ前記感光材料上に露光する制御を行う制御手段と、
前記画像データを再現色の濃度で表す再現色濃度データに変換した後、該再現色濃度データを光源駆動データに変換するデータ変換手段と、を備え、
前記データ変換手段は、前記画像データを再現色の濃度で表す再現色濃度データに変換するカラーコレクションテーブルと、前記再現色濃度データを光源駆動データに変換する濃度・光源駆動データ変換テーブルと、前記光源駆動データの色の組み合わせにより画素単位で光源の駆動をスイッチングするための光源駆動データテーブルと、を備え、
前記濃度・光源駆動データ変換テーブルは、連続画素の再現色濃度データを光源駆動データに変換する連続画素用濃度・光源駆動データ変換テーブルと、非連続画素の再現色濃度データを光源駆動データに変換する非連続画素用濃度・光源駆動データ変換テーブルと、を備え、
前記非連続画素用濃度・光源駆動データ変換テーブルは、非連続画素における濃度低下を補正するように配慮されたテーブルである、
ことを特徴とする画像記録装置。
【請求項２】  前記非連続画素用濃度・光源駆動データ変換テーブルは、前記感光材料上に露光によって生成される連続画素の濃度と一致するように、非連続画素の濃度が定められている、
ことを特徴とする請求項１記載の画像記録装置。
【請求項３】  前記画像データが連続画素であるか非連続画素であるかを検出する検出手段を備え、
前記検出手段での検出結果により前記濃度・光源駆動データ変換テーブルは、
連続画素用濃度・光源駆動データ変換テーブルと、非連続画素用濃度・光源駆動データ変換テーブルとを使い分ける、
ことを特徴とする請求項１または請求項２のいずれかに記載の画像記録装置。
【請求項４】  イエロー（Ｙ），マゼンタ（Ｍ），シアン（Ｃ）および黒（Ｋ）の各色毎の版に色分解された状態の画像データを受信し、前記画像データに基づいて光源駆動データを生成し、前記光源駆動データによって複数の各光源を駆動せしめて複数の発色層からなる感光材料を波長の異なる光で露光して、前記感光材料にカラー画像を記録する画像記録装置を有する画像記録システムであって、
前記感光材料を露光するための複数の光源を備えた露光部と、
前記画像データに基づいた前記光源駆動データにより前記光源を駆動せしめ前記感光材料上に露光する制御を行う制御手段と、
前記画像データを再現色の濃度で表す再現色濃度データに変換した後、該再現色濃度データを前記光源駆動データに変換するデータ変換手段と、を備え、
前記データ変換手段は、前記画像データを再現色の濃度で表す再現色濃度データに変換するカラーコレクションテーブルと、前記再現色濃度データを光源駆動データに変換する濃度・光源駆動データ変換テーブルと、前記光源駆動データの色の組み合わせにより画素単位で光源の駆動をスイッチングするための光源駆動データテーブルと、を備え、
前記濃度・光源駆動データ変換テーブルは、連続画素の再現色濃度データを光源駆動データに変換する連続画素用濃度・光源駆動データ変換テーブルと、非連続画素の再現色濃度データを光源駆動データに変換する非連続画素用濃度・光源駆動データ変換テーブルと、を備え、
前記非連続画素用濃度・光源駆動データ変換テーブルは、非連続画素における濃度低下を補正するように配慮されたテーブルである画像記録装置を有することを特徴とする画像記録システム。
【請求項５】  イエロー（Ｙ），マゼンタ（Ｍ），シアン（Ｃ）および黒（Ｋ）の各色毎の版に色分解された状態の画像データを受信し、前記画像データに基づいて光源駆動データを生成し、前記光源駆動データによって複数の各光源を駆動せしめて複数の発色層からなる感光材料を波長の異なる光で露光させ、前記感光材料にカラー画像を記録させる画像記録ソフトであって、
前記画像データを再現色の濃度で表す再現色濃度データに変換した後、該再現色濃度データを光源駆動データに変換するデータ変換手段は、
前記画像データを再現色の濃度で表す再現色濃度データに変換するカラーコレクションテーブルと、前記再現色濃度データを光源駆動データに変換する濃度・光源駆動データ変換テーブルと、前記光源駆動データの色の組み合わせにより画素単位で光源の駆動をスイッチングするための光源駆動データテーブルと、を備え、
前記濃度・光源駆動データ変換テーブルは、連続画素の再現色濃度データを光源駆動データに変換する連続画素用濃度・光源駆動データ変換テーブルと、非連続画素の再現色濃度データを光源駆動データに変換する非連続画素用濃度・光源駆動データ変換テーブルと、を備え、
前記非連続画素用濃度・光源駆動データ変換テーブルは、非連続画素における濃度低下を補正するように配慮されたテーブルであることを特徴とする画像記録ソフト。
【手続補正３】
【補正対象書類名】明細書
【補正対象項目名】００２０
【補正方法】変更
【補正の内容】
【００２０】
本発明は、上記事情に鑑みてなされたものであり、その目的とするところは、感光材料上に網点画像を形成する際の網が端部あるいは非連続画素の部分で濃度低下する現象を回避することが可能な画像記録装置、画像記録システムおよび画像記録ソフトを実現することにある。
【手続補正４】
【補正対象書類名】明細書
【補正対象項目名】００２８
【補正方法】変更
【補正の内容】
【００２８】
（３）請求項３記載の発明は、前記画像データが連続画素であるか非連続画素であるかを検出する検出手段を備え、前記検出手段での検出結果により前記濃度・光源駆動データ変換テーブルは、連続画素用濃度・光源駆動データ変換テーブルと、非連続画素用濃度・光源駆動データ変換テーブルとを使い分ける、ことを特徴とする請求項１または請求項２のいずれかに記載の画像記録装置である。このようにすることで、確実な動作が可能になる。
（４）請求項４記載の発明は、イエロー（Ｙ），マゼンタ（Ｍ），シアン（Ｃ）および黒（Ｋ）の各色毎の版に色分解された状態の画像データを受信し、前記画像データに基づいて光源駆動データを生成し、前記光源駆動データによって複数の各光源を駆動せしめて複数の発色層からなる感光材料を波長の異なる光で露光して、前記感光材料にカラー画像を記録する画像記録装置を有する画像記録システムであって、前記感光材料を露光するための複数の光源を備えた露光部と、前記画像データに基づいた前記光源駆動データにより前記光源を駆動せしめ前記感光材料上に露光する制御を行う制御手段と、前記画像データを再現色の濃度で表す再現色濃度データに変換した後、該再現色濃度データを前記光源駆動データに変換するデータ変換手段と、を備え、前記データ変換手段は、前記画像データを再現色の濃度で表す再現色濃度データに変換するカラーコレクションテーブルと、前記再現色濃度データを光源駆動データに変換する濃度・光源駆動データ変換テーブルと、前記光源駆動データの色の組み合わせにより画素単位で光源の駆動をスイッチングするための光源駆動データテーブルと、を備え、前記濃度・光源駆動データ変換テーブルは、連続画素の再現色濃度データを光源駆動データに変換する連続画素用濃度・光源駆動データ変換テーブルと、非連続画素の再現色濃度データを光源駆動データに変換する非連続画素用濃度・光源駆動データ変換テーブルと、を備え、前記非連続画素用濃度・光源駆動データ変換テーブルは、非連続画素における濃度低下を補正するように配慮されたテーブルである画像記録装置を有することを特徴とする画像記録システムである。
（５）請求項５記載の発明は、イエロー（Ｙ），マゼンタ（Ｍ），シアン（Ｃ）および黒（Ｋ）の各色毎の版に色分解された状態の画像データを受信し、前記画像データに基づいて光源駆動データを生成し、前記光源駆動データによって複数の各光源を駆動せしめて複数の発色層からなる感光材料を波長の異なる光で露光させ、前記感光材料にカラー画像を記録させる画像記録ソフトであって、前記画像データを再現色の濃度で表す再現色濃度データに変換した後、該再現色濃度データを光源駆動データに変換するデータ変換手段は、前記画像データを再現色の濃度で表す再現色濃度データに変換するカラーコレクションテーブルと、前記再現色濃度データを光源駆動データに変換する濃度・光源駆動データ変換テーブルと、前記光源駆動データの色の組み合わせにより画素単位で光源の駆動をスイッチングするための光源駆動データテーブルと、を備え、前記濃度・光源駆動データ変換テーブルは、連続画素の再現色濃度データを光源駆動データに変換する連続画素用濃度・光源駆動データ変換テーブルと、非連続画素の再現色濃度データを光源駆動データに変換する非連続画素用濃度・光源駆動データ変換テーブルと、を備え、前記非連続画素用濃度・光源駆動データ変換テーブルは、非連続画素における濃度低下を補正するように配慮されたテーブルであることを特徴とする画像記録ソフトである。